(57)【要約】【課題】筺体の密閉性を容易に確保することができ、ビリ音の発生や半田剥がれ等の問題を回避することができるスピーカ装置を提供する。【解決手段】箱体３と箱体３を塞ぐ蓋体４とにより形成される筺体５に、仕切り壁３３により隔てられた複数の空間６ａ、６ｂが形成され、これら空間６ａ、６ｂ内にそれぞれスピーカユニット２ａ，２ｂが収納された密閉型のスピーカ装置であって、仕切り壁３３と蓋体４との間に、各スピーカユニット２ａ，２ｂを外部と電気的接続状態とするための配線基板７と、配線基板７の周囲の隙間を塞ぐ弾性体（下側弾性体８１，上側弾性体８２）とが設けられている。【選択図】      図１
2014078935.tif 000002
【特許請求の範囲】
【請求項１】
箱体と該箱体を塞ぐ蓋体とにより形成される筺体に、仕切り壁により隔てられた複数の空間が形成され、これら空間内にそれぞれスピーカユニットが収納された密閉型のスピーカ装置であって、前記仕切り壁と前記蓋体との間に、各スピーカユニットを外部と電気的接続状態とするための配線基板と、該配線基板の周囲の隙間を塞ぐ弾性体とが設けられていることを特徴とするスピーカ装置。
【請求項２】
前記配線基板は、前記仕切り壁に対して垂直に配置されていることを特徴とする請求項１記載のスピーカ装置。
【請求項３】
前記仕切り壁には、その一部を拡幅して形成され前記弾性体を載置する台座部が設けられるとともに、該台座部に載置された前記弾性体の両側部を前記仕切り壁に沿って抜き挿し可能に保持するガイド部が設けられていることを特徴とする請求項１又は２に記載のスピーカ装置。
【請求項４】
前記スピーカユニットは、それぞれ異なる周波数帯域を受け持ち、前記配線基板は、高周波数帯域側のスピーカユニットが配置される空間に、外部接続用のコネクタが設けられていることを特徴とする請求項１から３のいずれか一項に記載のスピーカ装置。
【請求項５】
前記弾性体は、前記仕切り壁に備えられる下側弾性体と、前記蓋体に備えられる上側弾性体とからなり、前記配線基板は前記下側弾性体と前記上側弾性体とに挟まれた状態で配置されていることを特徴とする請求項１から４のいずれか一項に記載のスピーカ装置。
【請求項６】
前記弾性体は、前記仕切り壁又は前記蓋体のどちらか一方に備えられ、前記配線基板は前記弾性体に挟まれた状態で配置されていることを特徴とする請求項１から４のいずれか一項に記載のスピーカ装置。
【発明の詳細な説明】
【技術分野】
【０００１】
この発明は、スピーカユニットを筺体（ケーシング）に装着してなる密閉型のスピーカ装置に関する。
【背景技術】
【０００２】
一般にエンクロージャとも呼ばれる密閉性を有する筺体に、スピーカユニットを組み込むことにより形成された密閉型のスピーカ装置が知られている。また、スピーカ装置として、異なる周波数帯域を分担して受け持つ複数のスピーカユニットを有する構成が知られている。
そして、このような密閉型のスピーカ装置においては、筺体内部（密閉空間）の空気が外部に漏れないように密閉されており、筺体の内部と外部との間の電気信号接続に種々の工夫がなされている。
【０００３】
例えば、特許文献１には、箱体の内部と外部との間の電気信号接続にプリント基板を使用し、密閉性を有する箱体の一部に、その蓋締め方向に対し垂直にプリント配線基板を挟むことにより、プリント配線基板の反りに関わらず、箱体の密閉性を保った状態で、箱体の内部と外部との間の電気信号の伝達を可能とすることが開示されている。
この場合、プリント配線基板の断面と箱体に形成した角孔とを、同一形状にすることにより、密封性を保つことが記載されている。これにより、プリント配線基板に反りが生じていても、蓋を固定することによりプリント配線基板の反りを矯正することができ、密閉性を保ちながら、箱体の内部と外部との電気接続が可能となる。
【先行技術文献】
【特許文献】
【０００４】
【特許文献１】特開平５−２６８６８９号公報
【発明の概要】
【発明が解決しようとする課題】
【０００５】
しかし、特許文献１に記載されるようにスピーカ装置を構成した場合、箱体の角孔と、プリント配線基板の寸法精度が低いと、密閉性を確保することが難しい。また、箱体の振動がプリント配線基板に伝わると、その振動によって、振動音や共振音等のビリ音が発生するおそれがある。さらに、プリント配線基板の反りを箱体で押さえて矯正することから、プリント配線基板に無理な負荷が掛かり、半田剥がれ等の原因になる。
【０００６】
本発明は、このような事情に鑑みてなされたものであり、筺体の密閉性を容易に確保することができ、ビリ音の発生や半田剥がれ等の問題を回避することができるスピーカ装置を提供することを目的とする。
【課題を解決するための手段】
【０００７】
本発明のスピーカ装置は、箱体と該箱体を塞ぐ蓋体とにより形成される筺体に、仕切り壁により隔てられた複数の空間が形成され、これら空間内にそれぞれスピーカユニットが収納された密閉型のスピーカ装置であって、前記仕切り壁と前記蓋体との間に、各スピーカユニットを外部と電気的接続状態とするための配線基板と、該配線基板の周囲の隙間を塞ぐ弾性体とが設けられていることを特徴とする。
【０００８】
弾性体により、配線基板の設置のために形成される仕切り壁と蓋体との間の隙間を塞ぐことができる。また、配線基板（の断面）の多少の大きさの違いや反りを弾性体によって吸収することができるので、各スピーカユニットが配置される空間の密閉性を容易に確保することができる。
また、配線基板は、弾性体を介して筺体（箱体の仕切り壁及び蓋体）と接触する構成とされており、筺体の振動が配線基板に伝わり難いため、振動によるビリ音の発生を防止することができる。さらに、弾性体で保持された配線基板は、無理に矯正されることがないので、半田剥がれ等の発生を回避することができる。
【０００９】
本発明のスピーカ装置において、前記配線基板は、前記仕切り壁に対して垂直に配置されているとよい。
配線基板を仕切り壁に対して垂直に配置することにより、配線基板の設置のために形成される仕切り壁と蓋体との間の隙間を小さく形成することができる。また、隙間は弾性体により埋められるので、各スピーカユニットが配置される空間の密封性を容易に確保することができる。
【００１０】
本発明のスピーカ装置において、前記仕切り壁には、その一部を拡幅して形成され前記弾性体を載置する台座部が設けられるとともに、該台座部に載置された前記弾性体の両側部を前記仕切り壁に沿って抜き挿し可能に保持するガイド部が設けられていることを特徴とする。
仕切り壁よりも幅広の台座部を設け、さらに台座部に弾性体を保持するガイド部を設けることで、仕切り壁に弾性体を安定した状態で載置することができる。また、このように設けられた弾性体に配線基板を載置した際にも安定した状態で保持することができるので、組み立て作業性の向上を図ることができるとともに、配線基板の振動に対する耐性を高めることができる。また、弾性体がガイド部に対して抜き挿し可能であるので、消耗等が生じた場合は弾性体を交換することができる。
【００１１】
本発明のスピーカ装置において、前記スピーカユニットは、それぞれ異なる周波数帯域を受け持ち、前記配線基板は、高周波数帯域側のスピーカユニットが配置される空間に、外部接続用のコネクタが設けられているとよい。
低周波数帯域側のスピーカユニットが配置される空間は、高周波数帯域側よりも音圧レベルが高く、その分高い密閉性が求められる。したがって、高周波数帯域側のスピーカユニットが配置される空間に、外部接続用のコネクタを設けることで、低周波数帯域側の空間の密閉性を確実に確保することができる。
【００１２】
本発明のスピーカ装置において、前記弾性体は、前記仕切り壁に備えられる下側弾性体と、前記蓋体に備えられる上側弾性体とからなり、前記配線基板は前記下側弾性体と前記上側弾性体とに挟まれた状態で配置されているとよい。
この場合、仕切り壁側（箱体側）に備えられる下側弾性体と、蓋体側に備えられる上側弾性体との間に配線基板を挟むことにより、配線基板の周囲の隙間を容易に塞ぐことができる。
【００１３】
また、本発明のスピーカ装置において、前記弾性体が、前記仕切り壁又は蓋体のどちらか一方に備えられ、前記配線基板が前記弾性体に挟まれた状態で配置される構成とすることもできる。
【発明の効果】
【００１４】
本発明によれば、弾性体により配線基板の周囲の隙間を塞ぐことにより、各スピーカユニットが配置される空間の密閉性を容易に確保することができるとともに、配線基板を弾性体で挟んで支持するので、ビリ音の発生や半田剥がれ等の問題を回避することができる。
【図面の簡単な説明】
【００１５】
【図１】本発明の第１実施形態のスピーカ装置を示す外観斜視図である。
【図２】図１に示すスピーカ装置の蓋体を閉じた状態である。
【図３】箱体を説明する斜視図である。
【図４】蓋体の内側面を上側に向けて配置した斜視図である。
【図５】図２のＡ‐Ａ線に沿うスピーカ装置の要部断面図である。
【図６】本発明の第２実施形態のスピーカ装置を説明する斜視図である。
【図７】本発明の第３実施形態のスピーカ装置を説明する斜視図である。
【図８】本発明の第４実施形態のスピーカ装置を示す外観斜視図である。
【図９】本発明の第５実施形態のスピーカ装置を示す外観斜視図である。
【発明を実施するための形態】
【００１６】
以下、本発明の実施形態を、図面を用いて説明する。
図１及び図２は、第１実施形態のスピーカ装置１を示す図であり、スピーカの放音面を有する壁（底部３１）を下側に配置し、スピーカ装置１の背面側を上側にして配置したものである。スピーカ装置１は、図１に示すように、ボイスコイル、マグネット等を備えたスピーカユニット２ａ，２ｂを有する密閉型のスピーカ装置である。
【００１７】
スピーカ装置１の筺体５は、プラスチック等の剛体からなり、スピーカユニット２ａ，２ｂが取り付けられる箱体３とその箱体３を塞ぐ蓋体４とにより構成され、筺体５の内部に形成された２つの空間６ａ，６ｂに、スピーカユニット２ａ，２ｂが別々に収納される。
図示例では、筺体５の左側の空間６ａに、中高周波数帯域を分担するスピーカユニット２ａが配置され、右側の空間６ｂに、低周波数帯域を分担するスピーカユニット２ｂが配置されている。
そして、これらスピーカユニット２ａ，２ｂは、配線基板７を介して、外部と電気接続される。また、図示はしていないが、スピーカユニット２ａ，２ｂと配線基板７とは、スピーカユニット２ａ，２ｂを振動させるための電気信号を入力する信号ライン（配線）等により接続される。
【００１８】
箱体３は、図１及び図３に示すように、スピーカユニット２ａ，２ｂのコーン部２１が外部に露出した状態で接着される底部３１と、底部３１の外周から上方に垂設され四方を取り囲む側壁３２と、側壁３２に囲まれた内部空間を２つに隔てる仕切り壁３３とを備え、スピーカユニット２ａ，２ｂの背面側を開口した略直方体形の箱状に形成される。
また、空間６ａ，６ｂを隔てる仕切り壁３３には、その一部を拡幅して形成され、下側弾性体８１を載置する台座部３４が設けられている。この台座部３４には、下側弾性体８１の両側部を仕切り壁３３に沿って抜き挿し可能に保持するガイド部３５が設けられており、下側弾性体８１を安定した状態で台座部３４に載置することができる。
図示例では、ガイド部３５の対向部間の下部を埋めるように台座部３４が設けられており、その台座部３４の上に直方体状の下側弾性体８１が載置されている。
【００１９】
また蓋体４は、図１及び図４に示すように、スピーカユニット２ａ，２ｂの背面を覆う天井部４１と、天井部４１の外周から垂設され四方を取り囲む側壁４２と、側壁４２に囲まれた内部空間を２つに隔てる仕切り壁４３とを備え、この蓋体４で箱体３の開口部を塞ぐことにより、筺体５の内部に仕切り壁３３，４３で仕切られた空間６ａ，６ｂが形成される。なお、図４に示す符号４９は、配線基板７に設けられた外部接続用のコネクタ７１を外部に露出するために、蓋体４の天井部４１に形成された開口である。
また、蓋体４の仕切り壁４３にも、箱体３の仕切り壁３３の台座部３４と同様の構成で台座部４４及びガイド部４５が設けられており、その台座部４４に直方体状の上側弾性体８２が設けられている。そして、箱体３の下側弾性体８１と蓋体４の上側弾性体８２とが配線基板７を介して対向配置される。これら下側弾性体８１及び上側弾性体８２は、例えばウレタン樹脂等により構成される。
【００２０】
配線基板７は、箱体３及び蓋体４の仕切り壁３３，４３に対して垂直に配置され、図５に示すように、箱体３の仕切り壁３３に備えられた下側弾性体８１と、蓋体４の仕切り壁４３に備えられた上側弾性体８２とに挟まれた状態で配置される。この際、下側弾性体８１及び上側弾性体８２は、その中央部において配線基板７と接触するとともに、両側部において互いに接触し、配線基板７の周囲の隙間を塞ぐ。
また、配線基板７には、外部接続用のコネクタ７１が設置されており、コネクタ７１は、図１及び図２に示すように、仕切り壁３３，４３の左側、すなわち高周波数帯域側のスピーカユニット２ａが配置される空間６ａ内に配置される。コネクタ７１の周囲には、パッキン８３が貼り付けられている。箱体３を蓋体４で塞いだ状態とすると、コネクタ７１は開口４９から外部に露出するが、コネクタ７１の周囲に設けられたパッキン８３に、蓋体４の天井部４１に形成した開口４９の周囲の壁が接触した状態となり、空間６ａの密閉性を確保することができる。
【００２１】
このように構成されたスピーカ装置１では、配線基板７を下側弾性体８１と上側弾性体８２とで挟むことにより、配線基板７の設置のために形成される仕切り壁３３，４３との間の隙間を塞ぐことができる。配線基板７の多少の大きさの違いや反りを下側弾性体８１及び上側弾性体８２によって吸収することができるので、各スピーカユニット２ａ，２ｂが配置される空間６ａ，６ｂの密閉性を容易に確保することができる。
また、配線基板７は、下側弾性体８１及び上側弾性体８２を介して筺体５（箱体３の仕切り壁３３及び蓋体４の仕切り壁４３）と接触する構成とされており、筺体５の振動が配線基板７に伝わり難いため、振動によるビリ音の発生を防止することができる。さらに、下側弾性体８１及び上側弾性体８２で保持された配線基板７は、無理に矯正されることがないので、半田剥がれ等の発生を回避することができる。
【００２２】
また、仕切り壁３３，４３よりも幅広の台座部３４，４４を設け、さらに台座部３４，４４に下側弾性体８１及び上側弾性体８２を保持するガイド部３５，４５を設けており、仕切り壁３３，４３に下側弾性体８１及び上側弾性体８２を安定した状態で載置することができる。そして、このように設けられた下側弾性体８１及び上側弾性体８２に配線基板７を載置した際にも安定した状態で保持することができるので、組み立て作業性の向上を図ることができるとともに、配線基板７の振動に対する耐性を高めることができる。また、下側弾性体８１及び上側弾性体８２がガイド部３５，４５に対して抜き挿し可能であるので、消耗等が生じた場合は下側弾性体８１及び上側弾性体８２を交換することができる。
【００２３】
また、スピーカ装置１では、高周波数帯域側のスピーカユニット２ａが配置される空間６ａに、外部接続用のコネクタ７１を設けており、低周波数帯域側のスピーカユニット２ｂが配置される空間６ｂの密閉性を確実に確保することができる。
【００２４】
ところで、上記実施形態のスピーカ装置１においては、配線基板７を、箱体３側の下側弾性体８１と、蓋体４側の上側弾性体８２との間に挟むことにより、配線基板７の周囲の隙間を塞ぐこととしていたが、本発明の形態は、これに限定されるものではない。
例えば、図６に示すように、厚み方向の中央部に、台座部３４上に配置される配線基板７の一部を挿入可能なスリット８５ａを形成した弾性体８５により、配線基板７の周囲の隙間を塞ぐ構成とすることもできる。この場合、配線基板７を、弾性体８５のスリット８５ａに通して弾性体８５に挟まれた状態で箱体３と蓋体４との間に組み付けることで、配線基板７の周囲の隙間を弾性体８５によって容易に塞ぐことができる。なお、弾性体８５の材質としては、スリット８５ａが成形しやすくなるので、適度な硬度のあるクッション材、もしくは型での成型がしやすいエラストマー等を使用するとよい。
【００２５】
また、図７に示すように、台座部３４の片方もしくは両方に延出する帯状の弾性体８６を設け、その弾性体８６の上に配線基板７を載置した後、配線基板７の上面を覆うように弾性体８６の両端部を折り畳むことにより、配線基板７の上面に弾性体８６の端部を重ねて配線基板７を弾性体８６に挟まれた状態とし、その配線基板７の周囲の隙間を塞ぐこともできる。なお、弾性体８６は、図７に示すように、箱体３側の台座部３４に備える構成とする他にも、図示は省略するが、蓋体４側の台座部４４に備える構成とすることもできる。このように、箱体３又は蓋体４のどちらか一方に弾性体８６を備える構成とすることにより、配線基板７の周囲の隙間を塞ぐこととしてもよい。なお、弾性体８６の材質としては、弾性体８６の重ねられた部分の密封性が損なわれないように、柔軟性と復元性のあるクッション材を用いることが好ましい。
【００２６】
図８は、本発明の第４実施形態のスピーカ装置１０１を示す。このスピーカ装置１０１は、第１実施形態のスピーカ装置１と同じく、２個のスピーカユニット１０２ａ，１０２ｂを有する密閉型のスピーカ装置である。
スピーカ装置１０１は、箱体１０３とその箱体１０３を塞ぐ蓋体１０４とにより形成される筺体１０５の内部に、仕切り壁１３３により隔てられた２つの空間１０６ａ，１０６ｂが形成されており、中高周波数帯域を分担するスピーカユニット１０２ａと低周波数帯域を分担する１０２ｂとが、空間１０６ａ，１０６ｂ内に別々に収納されている。また、低周波数帯域を分担するスピーカユニット１０２ｂが配置される空間１０６ｂにバスレフポート１０９が設置され、バスレフ型のスピーカシステムが設けられている。また、図示を省略したが、箱体１０３の底部１３１に、バスレフポート用の開口部が設けられている。
なお、図８では、スピーカ装置１０１の内部構成が確認できるように、箱体１０３については、スピーカの放音面を有する壁（底部１３１）を下側に配置して、スピーカ装置１０１の背面側を上側に向けて配置したが、蓋体１０４については、蓋体１０４の内面側を上側に向けて配置した。
【００２７】
バスレフ型のスピーカシステムは、スピーカユニット１０２ｂで発生する低音を、バスレフポート１０９内を通すことによって位相反転させ、スピーカユニット１０２ｂの低音をヘルムホルツ共振により増強するものであり、バスレフポート１０９を長くとるために空間１０６ｂが空間１０６ａとは反対側に長く形成されている。また、配線基板１０７に搭載される外部接続用のコネクタ７１及びコンデンサ（図示略）等の部品を、隣接する空間１０６ａ側に配置しており、コネクタ７１及びコンデンサ等の部品に影響されることなく空間１０６ｂを確保することができる。
なお、その他の構成は、第１実施形態のものと同じであり、共通部分に同一符号を付して説明を省略する。
【００２８】
スピーカ装置１０１においても、第１実施形態のスピーカ装置１と同様に、下側弾性体８１及び上側弾性体８２により配線基板１０７の周囲の隙間を塞ぐことにより、各スピーカユニット１０２ａ，１０２ｂが配置される空間１０６ａ，１０６ｂの密閉性を容易に確保することができる。
また、配線基板１０７は、コネクタ７１やコンデンサ等の部品を高周波数帯域側の空間１０６ａに偏って配置していることから、その基板面積の大部分が空間１０６ａに配置されることになり、下側弾性体８１及び上側弾性体８２による支持部に対してアンバランスな配置になっている。しかし、配線基板１０７を下側弾性体８１と上側弾性体８２とで挟んで支持していることから、振動の発生を抑制でき、ビリ音の発生や半田剥がれ等の問題を回避することができる。
このように、本発明は、バスレフポートを備えるスピーカ装置にも適用することができる。
【００２９】
ところで、上記実施形態においては、２個のスピーカユニットを有するスピーカ装置を用いて説明したが、図９に示すスピーカ装置２０１のように、高音用、中音用、低音用として３個のスピーカユニット２０２ａ〜２０２ｃを備える構成とする等、２個以上のスピーカユニットを備える構成とすることも可能である。
【００３０】
例えば、図９に示すスピーカ装置２０１は、箱体２０３内部に一列に並べられた複数の空間２０６ａ〜２０６ｃに、各スピーカユニット２０２ａ〜２０２ｃが収納されており、これらスピーカユニット２０２ａ〜２０２ｃが箱体２０３の長手方向に沿って配置された配線基板２０７に電気的接続状態とされ、この配線基板２０７を介して外部との電気接続が確保される。この場合、コネクタ７１を最も高い周波数帯域を分担する高音用のスピーカユニット２０２ａを収納する空間２０６ａに配置することで、高い密封性が要求される低周波数帯域を分担する低音用のスピーカユニット２０２ｃを収納する空間２０６ｃ及び、中音用のスピーカユニット２０２ｂを収納する空間２０６ｂの密閉性を確保し、高い信頼性を維持することができる。
【符号の説明】
【００３１】
１，１０１，２０１…スピーカ装置、２ａ，２ｂ，１０２ａ，１０２ｂ，２０２ａ〜２０２ｃ…スピーカユニット、３，１０３，２０３…箱体、４，１０４…蓋体、５，１０５，２０５…筺体、６ａ，６ｂ，１０６ａ，１０６ｂ，２０６ａ〜２０６ｃ…空間、７，１０７，２０７…配線基板、２１…コーン部、３１，１３１…底部、３２，４２…側壁、３３，４３，１３３…仕切り壁、３４，４４…台座部、３５，４５…ガイド部、４１…天井部、４９…開口、７１…コネクタ、８１…下側弾性体（弾性体），８２…上側弾性体（弾性体），８５，８６…弾性体、８３…パッキン、８５ａ…スリット、１０９…バスレフポート
【図１】
2014078935.tif 000003
【図２】
2014078935.tif 000004
【図３】
2014078935.tif 000005
【図４】
2014078935.tif 000006
【図５】
2014078935.tif 000007
【図６】
2014078935.tif 000008
【図７】
2014078935.tif 000009
【図８】
2014078935.tif 000010
【図９】
2014078935.tif 000011